(57)【要約】【課題】筒状のレンズが高い位置精度で基板本体に固着されたレンズ付き基板を提供すること。【解決手段】レンズ付き基板１０１は、基板本体１１１と、その搭載面１２５に搭載された筒状のレンズ１９１とを備える。基板本体１１１は、レンズ１９１の一方の端部１９１ｔ１のレンズ軸方向の位置決めをする端部位置決め用突出部１３１を備える。また、基板本体１１１は、レンズ径方向で搭載面１２５に平行な方向の位置決めをする第１側面位置決め用突出部１３５及び第２側面位置決め用突出部１３７を備える。そして、レンズ１９１は、これらによって位置決めされてなると共に、搭載面１２５に固着されてなる。【選択図】      図１
2004184532.tif 000002
【特許請求の範囲】
【請求項１】
搭載面を有する基板本体と、
上記搭載面に搭載された筒状のレンズであって、レンズの中心軸が上記搭載面に平行な状態で上記搭載面に搭載されたレンズと、
を備えるレンズ付き基板であって、
上記基板本体は、
上記搭載面よりも外方へ突出し、上記筒状のレンズの一方の端部のレンズ軸方向の位置決めをする端部位置決め用突出部と、
上記搭載面よりも外方へ突出し、上記筒状のレンズの両側方に位置し、レンズ径方向で上記搭載面に平行な方向の位置決めをする第１側面位置決め用突出部及び第２側面位置決め用突出部と、
を有し、
上記レンズは、
上記一方の端部が上記端部位置決め用突出部によって位置決めされてなり、上記側面が上記第１側面位置決め用突出部、上記第２側面位置決め用突出部及び上記搭載面によって位置決めされてなると共に、
少なくとも上記搭載面に固着されてなる
レンズ付き基板。
【請求項２】
請求項１に記載のレンズ付き基板であって、
前記端部位置決め用突出部に隣接する領域であって、少なくとも前記レンズが搭載される側の領域に、前記搭載面よりも低くした低位部を備える
レンズ付き基板。
【請求項３】
請求項１または請求項２に記載のレンズ付き基板であって、
前記第１側面位置決め用突出部と前記第２側面位置決め用突出部は、前記レンズを隔てて互いに向かい合って位置し、
上記第１側面位置決め用突出部及び上記第２側面位置決め用突出部の前記レンズ軸方向の幅は、それぞれ上記レンズの上記レンズ軸方向の長さよりも短くされている
レンズ付き基板。
【請求項４】
請求項１〜請求項３のいずれか一項に記載のレンズ付き基板であって、
前記第１側面位置決め用突出部は、所定の第１間隙をあけて位置する２つの第１側面用位置決め部を有し、
前記第２側面位置決め用突出部は、上記第１間隙をあけて位置する２つの第２側面用位置決め部を有し、
前記レンズの側面は、上記２つの第１側面用位置決め部及び上記２つの第２側面用位置決め部によって位置決めされてなる
レンズ付き基板。
【請求項５】
請求項１〜請求項４のいずれか一項に記載のレンズ付き基板であって、
頂面が前記搭載面をなし、前記レンズ軸方向に沿った長さが前記レンズの軸方向の長さよりも短い搭載面突出部であって、所定の第２間隙をあけて位置する２つの第３側面用位置決め部を有する搭載面突出部を備え、
上記レンズの側面は、上記２つの第３側面用位置決め部によって位置決めされてなると共にこれら第３側面用位置決め部に固着されてなる
レンズ付き基板。
【請求項６】
請求項４に記載のレンズ付き基板であって、
前記第１側面位置決め用突出部及び前記第２側面位置決め用突出部の前記レンズ軸方向の幅は、それぞれ前記レンズの軸方向の長さよりも短くされ、
頂面が前記搭載面をなし、上記レンズ軸方向に沿った長さが上記レンズの軸方向の長さよりも短い搭載面突出部であって、前記第１間隙をあけて位置する２つの第３側面用位置決め部を有する搭載面突出部を備え、
上記レンズの側面は、上記２つの第３側面用位置決め部によって位置決めされてなると共にこれら第３側面用位置決め部に固着されてなり、
前記第１側面用位置決め部のうちの一方と、前記第２側面用位置決め部のうちの一方と、上記第３側面用位置決め部のうちの一方とは、上記レンズの軸方向と直交する同一面に位置するように配置され、
上記第１側面用位置決め部のうちの他方と、上記第２側面用位置決め部のうちの他方と、上記第３側面用位置決め部のうちの他方とは、上記レンズの軸方向と直交する同一面に位置するように配置されている
レンズ付き基板。
【請求項７】
搭載面を有する基板本体と、
上記搭載面に搭載された筒状のレンズであって、レンズの中心軸が上記搭載面に平行な状態で上記搭載面に搭載されたレンズと、
を備えるレンズ付き基板であって、
上記レンズは、
このレンズの側面のうちレンズ軸方向について互いに離れた第１固着部と第２固着部とで上記搭載面に固着されてなり、
上記第１固着部のうち、上記レンズ軸方向について上記第２固着部と反対側の第１端と、上記第２固着部のうち、上記レンズ軸方向について上記第１固着部と反対側の第２端との上記レンズ軸方向についての距離が、上記レンズの上記レンズ軸方向の長さよりも短い
レンズ付き基板。
【発明の詳細な説明】
【０００１】
【発明の属する技術分野】
本発明は、基板本体にレンズが搭載されたレンズ付き基板に関し、特に、筒状のレンズが搭載されたレンズ付き基板に関する。
【０００２】
【従来の技術】
従来より、基板本体に筒状のレンズが搭載されたレンズ付き基板が知られている。例えば、図２０〜図２６に示すレンズ付き基板９０１が挙げられる。なお、図２０は主面９０２側から見た平面図を示し、図２１は裏面９０３側から見た底面図を示す。また、図２２は第４側面９０４ｖ側から見た側面図を示し、図２３は第１側面９０４ｓ側から見た側面図を示し、図２４は第３側面９０４ｕ側から見た側面図を示す。さらに、図２５は図２０におけるＡＡ断面図を示し、図２６は図２０におけるＢＢ断面図を示す。
【０００３】
このレンズ付き基板９０１は、主面９０２と裏面９０３と４つの側面（第１側面９０４ｓ、第２側面９０４ｔ、第３側面９０４ｕ及び第４側面９０４ｖ）を有する。レンズ付き基板９０１は、基板本体９１１に筒状のレンズ９９１が搭載され固着されたものである。基板本体９１１は、レンズ９９１を搭載するベース部９２１を有する。そして、ベース部９２１には、枠部９５１が固着されている。この枠部９５１のうち、主面９０２には、リング部９６１が固着され、また、裏面９０３側には、３つの端子金具部９７１が固着され、さらに、第１側面９０４ｓには、パイプ部９８１が固着されている。
【０００４】
このうちベース部９２１ついて、図２７〜図３０に示す。図２７はベース主面９２２側から見た平面図を示し、図２８はベース第１側面９２４ｓ側から見た側面図を示し、図２９は図２７におけるＡＡ断面図を示し、図３０は図２７におけるＢＢ断面図を示す。ベース部９２１は、ベース主面９２２とベース裏面９２３と４つのベース側面（ベース第１側面９２４ｓ、ベース第２側面９２４ｔ、ベース第３側面９２４ｔ及びベース第４側面９２４ｖ）を有する略板形状である。また、ベース主面９２２側には、ベース主面９２２よりも少し低い位置に、レンズ９９１を搭載する搭載面９２５を有する。この搭載面９２５は、レンズ９９１を搭載する領域だけでなく、その近傍の領域も含め平面上に拡がっている。この搭載面９２５の所定の位置には、筒状のレンズ９９１が搭載され固着されている。ベース部９２１の周縁は、ベース主面９２２や搭載面９２５よりもさらに低位とされている。この周縁低位部９２７には、枠部９５１が固着されている。
【０００５】
枠部９５１は、平面視略口字形状である。この枠部９５１は、上述したように、ベース部９２１の周縁低位部９２７に固着されているため、これらのより、基板本体９１１には、主面９０２に開口する収容部が構成されている。この収容部には、上述した筒状のレンズの他、図示しない電子部品が搭載される。
リング部９６１は、平面視口字形状である。このリング部９６１は、電子部品を収容した後にこれを封止するため、蓋によって覆われ接合される。
３つの端子金具部９７１は、いずれも、搭載される電子部品と外部とを電気的に接続するための端子用金具である。
パイプ部９８１は、略筒状である。このパイプ部９８１は、レンズを通じて入出力される光信号の経路となる。
なお、このような技術に関連する文献として、例えば、特許文献１が挙げられる。
【０００６】
【特許文献１】
特開２００２−２２８８９１号公報
【０００７】
【発明が解決しようとする課題】
このようなレンズ付き基板９０１においては、筒状のレンズ９９１を通じて入出力される光の光軸と搭載する電子部品との間で高い位置精度が求められる。従って、筒状のレンズ９９１は、搭載面９２５の所定位置に正確に固着されなければならない。
しかしながら、搭載面９２５は平面として拡がっているため、筒状のレンズ９９１を正確に位置決めして接合することが困難である。特に、筒状のレンズ９９１は、周方向に転がるため、その位置合わせが困難である。
【０００８】
本発明は、かかる現状に鑑みてなされたものであって、筒状のレンズが高い位置精度で基板本体に固着されたレンズ付き基板を提供することを目的とする。
【０００９】
【課題を解決するための手段、作用及び効果】
その解決手段は、搭載面を有する基板本体と、上記搭載面に搭載された筒状のレンズであって、レンズの中心軸が上記搭載面に平行な状態で上記搭載面に搭載されたレンズと、を備えるレンズ付き基板であって、上記基板本体は、上記搭載面よりも外方へ突出し、上記筒状のレンズの一方の端部のレンズ軸方向の位置決めをする端部位置決め用突出部と、上記搭載面よりも外方へ突出し、上記筒状のレンズの両側方に位置し、レンズ径方向で上記搭載面に平行な方向の位置決めをする第１側面位置決め用突出部及び第２側面位置決め用突出部と、を有し、上記レンズは、上記一方の端部が上記端部位置決め用突出部によって位置決めされてなり、上記側面が上記第１側面位置決め用突出部、上記第２側面位置決め用突出部及び上記搭載面によって位置決めされてなると共に、少なくとも上記搭載面に固着されてなるレンズ付き基板である。
【００１０】
本発明によれば、基板本体は、搭載面よりも外方へ突出し、レンズの一方の端部のレンズ軸方向の位置決めをする端部位置決め用突出部を有する。そして、レンズは、その一方の端部が端部位置決め用突出部によって位置決めされている。また、基板本体は、搭載面よりも外方へ突出し、レンズの両側方に位置し、レンズ径方向で搭載面に平行な方向の位置決めをする第１側面位置決め用突出部及び第２側面位置決め用突出部を有する。そして、レンズの側面は、第１側面位置決め用突出部と第２側面位置決め用突出部と搭載面によって位置決めされている。さらに、レンズの側面は、少なくとも搭載面に固着されてなる。
【００１１】
このようなレンズ付き基板においては、筒状のレンズは、そのレンズ軸方向が端部位置決め用突出部により正確に位置決めされている。また、レンズ径方向であって搭載面に平行な方向が第１側面位置決め用突出部と第２側面位置決め用突出部により正確に位置決めされている。また、レンズの径方向であって搭載面に垂直な方向が搭載面により正確に位置決めされている。このため、筒状のレンズが高い位置精度で基板本体に固着されたレンズ付き基板とすることができる。
【００１２】
さらに、上記のレンズ付き基板であって、前記端部位置決め用突出部に隣接する領域であって、少なくとも前記レンズが搭載される側の領域に、前記搭載面よりも低くした低位部を備えるレンズ付き基板とすると良い。
【００１３】
本発明によれば、レンズ付き基板は、端部位置決め用突出部に隣接する領域であって、少なくともレンズが搭載される側の領域に、搭載面よりも低くした低位部を備える。
このような低位部が存在すれば、レンズを基板本体の搭載面に接合したときに、余分な接合材はこの低位部に溜まるので、接合材が端部位置決め用突出部まで拡がるのを防止しまたは抑制することができる。
【００１４】
さらに、上記のいずれかに記載のレンズ付き基板であって、前記第１側面位置決め用突出部と前記第２側面位置決め用突出部は、前記レンズを隔てて互いに向かい合って位置し、上記第１側面位置決め用突出部及び上記第２側面位置決め用突出部の前記レンズ軸方向の幅は、それぞれ上記レンズの上記レンズ軸方向の長さよりも短くされているレンズ付き基板とすると良い。
【００１５】
一般に、レンズの熱膨張率と基板本体の熱膨張率は異なるため、レンズを基板本体に加熱して接合すると、レンズに応力が生じることがある。特に、レンズと基板本体との接合部分が大きい程、レンズに応力が生じやすい。このような応力が生じると、レンズを通る光信号に影響を及ぼす恐れもある。
【００１６】
本発明によれば、第１側面位置決め用突出部と第２側面位置決め用突出部は、レンズを隔てて互いに向かい合って位置している。また、第１側面位置決め用突出部及び第２側面位置決め用突出部のレンズ軸方向の幅は、それぞれレンズの軸方向の長さよりも短くされている。
このようなレンズ付き基板では、レンズを、搭載面だけでなく、第１側面位置決め用突出部及び第２側面位置決め用突出部に接合した場合でも、第１側面位置決め用突出部及び第２側面位置決め用突出部のレンズ軸方向の幅が小さくされているため、レンズとの接合部分が小さくなるので、レンズに生じる応力を緩和することができる。また、レンズを第１側面位置決め用突出部及び第２側面位置決め用突出部に直接接合しない場合であっても、レンズを搭載面に接合したときに、その接合材が第１側面位置決め用突出部及び第２側面位置決め用突出部まで拡がり、レンズと接合する場合がある。このような場合にも、第１側面位置決め用突出部及び第２側面位置決め用突出部のレンズ軸方向の幅が小さくされていることにより、レンズとの接合部分が小さくなるので、レンズに生じる応力を緩和することができる。
【００１７】
さらに、上記のいずれかに記載のレンズ付き基板であって、前記第１側面位置決め用突出部は、所定の第１間隙をあけて位置する２つの第１側面用位置決め部を有し、前記第２側面位置決め用突出部は、上記第１間隙をあけて位置する２つの第２側面用位置決め部を有し、前記レンズの側面は、上記２つの第１側面用位置決め部及び上記２つの第２側面用位置決め部によって位置決めされてなるレンズ付き基板とすると良い。
【００１８】
本発明では、第１側面位置決め用突出部は、所定の第１間隙をあけて位置する２つの第１側面用位置決め部を有する。また、第２側面位置決め用突出部も、第１間隙をあけて位置する２つの第２側面用位置決め部を有する。そして、レンズの側面は、これら２つの第１側面用位置決め部及び２つの第２側面用位置決め部によって位置決めされている。
このように、第１側面位置決め用突出部及び第２側面位置決め用突出部が、それぞれ所定の間隙をあけて２つに分かれていれば、レンズを第１側面位置決め用突出部及び第２側面位置決め用突出部に接合した場合に、レンズとの接合部分が小さくなるので、レンズに生じる応力をさらに緩和することができる。また、レンズを第１側面位置決め用突出部及び第２側面位置決め用突出部に直接接合しない場合であっても、レンズを搭載面に接合したときに、その接合材が第１側面位置決め用突出部及び第２側面位置決め用突出部まで拡がり、レンズと接合する場合がある。しかし、このような場合にも、レンズとの接合部分が小さくなるので、レンズに生じる応力をさらに緩和することができる。
【００１９】
さらに、上記のいずれかに記載のレンズ付き基板であって、頂面が前記搭載面をなし、前記レンズ軸方向に沿った長さが前記レンズの軸方向の長さよりも短い搭載面突出部であって、所定の第２間隙をあけて位置する２つの第３側面用位置決め部を有する搭載面突出部を備え、上記レンズの側面は、上記２つの第３側面用位置決め部によって位置決めされてなると共にこれら第３側面用位置決め部に固着されてなるレンズ付き基板とすると良い。
【００２０】
本発明によれば、頂面が搭載面をなし、レンズ軸方向に沿った長さがレンズの軸方向の長さよりも短い搭載面突出部を備える。この搭載面突出部は、所定の第２間隙をあけて位置する２つの第３側面用位置決め部を有する。そして、レンズの側面は、これらの第３側面用位置決め部によって位置決めされてなると共にこれらに固着されている。
このようなレンズ付き基板では、レンズを搭載する搭載面突出部のレンズ軸方向の長さが小さくされているため、レンズと搭載面との接合部分が小さくなるので、レンズに生じる応力を緩和することができる。さらに、搭載面突出部は、互いに離れた２つの第３側面用位置決め部に分かれているため、レンズと搭載面との接合部分をさらに小さくすることができるので、レンズに生じる応力をさらに緩和することができる。
【００２１】
さらに、前記のレンズ付き基板であって、前記第１側面位置決め用突出部及び前記第２側面位置決め用突出部の前記レンズ軸方向の幅は、それぞれ前記レンズの軸方向の長さよりも短くされ、頂面が前記搭載面をなし、上記レンズ軸方向に沿った長さが上記レンズの軸方向の長さよりも短い搭載面突出部であって、前記第１間隙をあけて位置する２つの第３側面用位置決め部を有する搭載面突出部を備え、上記レンズの側面は、上記２つの第３側面用位置決め部によって位置決めされてなると共にこれら第３側面用位置決め部に固着されてなり、前記第１側面用位置決め部のうちの一方と、前記第２側面用位置決め部のうちの一方と、上記第３側面用位置決め部のうちの一方とは、上記レンズの軸方向と直交する同一面に位置するように配置され、上記第１側面用位置決め部のうちの他方と、上記第２側面用位置決め部のうちの他方と、上記第３側面用位置決め部のうちの他方とは、上記レンズの軸方向と直交する同一面に位置するように配置されているレンズ付き基板とすると良い。
【００２２】
本発明によれば、第１側面位置決め用突出部及び第２側面位置決め用突出部のレンズ軸方向の幅は、それぞれレンズの軸方向の長さよりも短くされている。
このため、レンズを、搭載面だけでなく、第１側面位置決め用突出部及び第２側面位置決め用突出部に接合した場合でも、第１側面位置決め用突出部及び第２側面位置決め用突出部のレンズ軸方向の幅が小さくされているため、レンズとの接合部分が小さくなるので、レンズに生じる応力を緩和することができる。また、レンズを第１側面位置決め用突出部及び第２側面位置決め用突出部に直接接合しない場合であっても、レンズを搭載面に接合したときに、その接合材が第１側面位置決め用突出部及び第２側面位置決め用突出部まで拡がり、レンズと接合する場合がある。このような場合にも、第１側面位置決め用突出部及び第２側面位置決め用突出部のレンズ軸方向の幅が小さくされていることにより、レンズとの接合部分が小さくなるので、レンズに生じる応力を緩和することができる。
【００２３】
また、本発明では、頂面が搭載面をなし、レンズ軸方向に沿った長さがレンズの軸方向の長さよりも短い搭載面突出部を備える。この搭載面突出部は、所定の第２間隙をあけて位置する２つの第３側面用位置決め部を有する。そして、レンズの側面は、これらの第３側面用位置決め部によって位置決めされてなると共にこれらに固着されている。
このようにレンズを搭載する搭載面突出部のレンズ軸方向の長さが小さいと、レンズと搭載面との接合部分が小さくなるので、レンズに生じる応力を緩和することができる。さらに、搭載面突出部は、２つの第３側面用位置決め部に分かれているため、レンズと搭載面との接合部分をさらに小さくすることができるので、レンズに生じる応力をさらに緩和することができる。
【００２４】
さらに、本発明では、第１側面用位置決め部のうちの一方と、第２側面用位置決め部のうちの一方と、第３側面用位置決め部のうちの一方とは、レンズの軸方向と直交する同一面に位置するように配置されている。また、第１側面用位置決め部のうちの他方と、第２側面用位置決め部のうちの他方と、第３側面用位置決め部のうちの他方も、レンズの軸方向と直交する同一面に位置するように配置されている。
このため、レンズを、搭載面だけでなく、第１側面位置決め用突出部及び第２側面位置決め用突出部に接合した場合でも、レンズに生じる応力をさらに緩和することができる。一方、レンズを第１側面位置決め用突出部及び第２側面位置決め用突出部に直接接合しない場合であっても、レンズを搭載面に接合したときに、その接合材が第１側面位置決め用突出部及び第２側面位置決め用突出部まで拡がり、レンズと接合する場合があるが、この場合にも、レンズに生じる応力をさらに緩和することができる。
【００２５】
また、他の解決手段は、搭載面を有する基板本体と、上記搭載面に搭載された筒状のレンズであって、レンズの中心軸が上記搭載面に平行な状態で上記搭載面に搭載されたレンズと、を備えるレンズ付き基板であって、上記レンズは、このレンズの側面のうちレンズ軸方向について互いに離れた第１固着部と第２固着部とで上記搭載面に固着されてなり、上記第１固着部のうち、上記レンズ軸方向について上記第２固着部と反対側の第１端と、上記第２固着部のうち、上記レンズ軸方向について上記第１固着部と反対側の第２端との上記レンズ軸方向についての距離が、上記レンズの上記レンズ軸方向の長さよりも短いレンズ付き基板である。
【００２６】
本発明によれば、レンズは、このレンズの側面のうち、レンズ軸方向について互いに離れた第１固着部と第２固着部とで搭載面に固着されている。そして、第１固着部のうち、レンズ軸方向について第２固着部と反対側の第１端と、第２固着部のうち、レンズ軸方向について第１固着部と反対側の第２端とのレンズ軸方向についての距離が、レンズのレンズ軸方向の長さよりも短くされている。
このようなレンズ付き基板では、第１端から第２端間での距離が短くされているから、レンズと搭載面との接合部分が小さくなるので、レンズに生じる応力を緩和することができる。さらに、固着部が互いに離れた第１固着部と第２固着部に分かれているため、レンズと搭載面との接合部分をさらに小さくすることができるので、レンズに生じる応力をさらに緩和することができる。
【００２７】
【発明の実施の形態】
（実施形態１）
以下、本発明の実施の形態を、図面を参照しつつ説明する。
本実施形態に係るレンズ付き基板１０１について、図１〜図７に示す。図１は主面１０２側から見た平面図であり、図２は裏面１０３側から見た底面図である。図３は第４側面１０４ｖ側から見た側面図であり、図４は第１側面１０４ｓ側から見た側面図であり、図５は第３側面１０４ｕ側から見た側面図である。さらに、図６は図１におけるＡＡ断面図であり、図７は図１におけるＢＢ断面図である。
【００２８】
このレンズ付き基板１０１は、主面１０２と裏面１０３と４つの側面（第１側面１０４ｓ、第２側面１０４ｔ、第３側面１０４ｕ及び第４側面１０４ｖ）を有する。レンズ付き基板１０１は、基板本体１１１に筒状のレンズ１９１が搭載され固着されたものである。基板本体１１１は、レンズ付き基板１０１の裏面１０３をなし、レンズ１９１が搭載されるベース部１２１を有する。そして、ベース部１２１には、レンズ付き基板１０１の主面１０２及び第１側面１０４ｓ〜第４側面１０４ｖをなす枠部１５１が固着されている。そして、この枠部１５１のうち、主面１０２には、リング部１６１が固着され、また、裏面１０３側には、３つの端子金具部１７１が固着され、さらに、第１側面１０４ｓには、パイプ部１８１が固着されている。
【００２９】
このうちベース部１２１ついて、図８〜図１１に示す。図８はベース主面１２２側から見た平面図を示し、図９はベース第１側面１２４ｓ側から見た側面図を示す。また、図１０は図８におけるＡＡ断面図を示し、図１１は図８におけるＢＢ断面図を示す。
ベース部１２１は、ＣｕＷからなる。ベース部１２１は、ベース主面１２２とレンズ付き基板１０１の裏面１０３でもあるベース裏面１２３と４つのベース側面（ベース第１側面１２４ｓ、ベース第２側面１２４ｔ、ベース第３側面１２４ｕ及びベース第４側面１２４ｖ）を有する略板形状である。その外形は、約９．８０ｍｍ×６．００ｍｍ×約２．５０ｍｍである。また、ベース主面１２２からベース裏面１２３までの長さ（厚さ）は約１．６５ｍｍ、ベース第１側面１２４ｓからベース第３側面１２４ｕまでの長さは約８．３５ｍｍ、ベース第２側面１２４ｔからベース第４側面１２４ｖまでの長さは約４．６０ｍｍである。また、ベース主面１２２側には、ベース主面１２２よりも少し低い位置（約０．３５ｍｍ低い位置）に、レンズ１９１を搭載する搭載面１２５を有する。この搭載面１２５からベース裏面１２３までの長さ（厚さ）は約１．３０ｍｍである。
【００３０】
ベース部１２１には、搭載面１２５よりも外方へ突出し、筒状のレンズ１９１の一方の端部１９１ｔ１のレンズ軸方向の位置決めをする端部位置決め用突出部１３１が形成されている。この端部位置決め用突出部１３１は、柱状をなし、平面視約１．００ｍｍ×約０．４５ｍｍであり、搭載面１２５よりも約０．３０ｍｍ突出している。
また、ベース部１２１には、搭載面１２５よりも外方へ突出し、筒状のレンズ１９１の両側方に位置し、レンズ径方向であって搭載面１２５に平行な方向の位置決めをする第１側面位置決め用突出部１３５と第２側面位置決め用突出部１３７が形成されている。これら第１側面位置決め用突出部１３５と第２側面位置決め用突出部１３７も、柱状をなし、いずれも平面視約１．８０ｍｍ×約０．７４ｍｍであり、搭載面１２５から約１．２０ｍｍ突出している。後述するように、搭載されるレンズ１９１のレンズ軸方向の長さＬは約３．３０ｍｍであるので、第１側面位置決め用突出部１３５及び第２側面位置決め用突出部１３７のレンズ軸方向の幅Ｗ（約１．８０ｍｍ）は、レンズ１９１の軸方向の長さＬよりも短くされている。また、これら第１側面位置決め用突出部１３５と第２側面位置決め用突出部１３７は、レンズ１９１を隔てて互いに向かい合って位置している。
【００３１】
搭載面１２５には、筒状のレンズ１９１がその中心軸が搭載面１２５に平行な状態で搭載されロウ付け固着されている。このレンズ１９１は、一方の端部１９１ｔ２が略半球状になったセルフォックマイクロレンズである。その外形は、直径が約１．８０ｍｍ、レンズ軸方向の長さが約３．３０ｍｍである。レンズ１９１の側面全面（両端面を除いた部分）には、レンズ１９１を搭載面１２５に接合するために、図示しないメタライズ層（Ｔｉスパッタ層）が形成されている。
このレンズ１９１は、平面とされたもう一方の端部１９１ｔ１が端部位置決め用突出部１３１によってレンズ軸方向について位置決めされ、かつ、側面が第１側面位置決め用突出部１３５及び第２側面位置決め用突出部１３７、及び、搭載面１２５によって位置決めされている。そして、レンズ１９１は、搭載面１２５にロウ付け固着されている。
【００３２】
ベース部１２１のうち、端部位置決め用突出部１３１に隣接する領域であって、レンズ１９１が搭載される側の領域を含む周りの領域は、搭載面１２５よりも約０．２５ｍｍ低い低位部１４１とされている。
また、ベース部１２１の周縁は、ベース主面１２２や搭載面１２５よりもさらに低位とされている。この周縁低位部１２７の厚さは約０．５０ｍｍであり、幅は０．７ｍｍ程度である。
【００３３】
枠部１５１は、８層のセラミック層（アルミナ）からなるセラミック部品であり、平面視略口字形状である。その外形は、約１２．７ｍｍ×約９．１６ｍｍ×約３．５５ｍｍである。枠部１５１の主面１０２や裏面、第１側面１０４ｓ〜第４側面１０４ｖには、それぞれ所定パターンのメタライズ層（Ｗ）が形成されている。また、枠部１５１の内部にも、搭載される電子部品と外部との電気的接続のため、図示しない導体層が形成されている。この枠部１５１は、上述したように、ベース部１２１の周縁低位部１２７にロウ付け固着されている。このようにベース部１２１と枠部１５１が固着されることにより、基板本体１１１には、主面１０２に開口する階段状の収容部が形成されている。この収容部には、上述した筒状のレンズ１９１の他、図示しない電子部品が搭載される。
【００３４】
リング部１６１は、コバールからなり、平面視口字形状である。その外形は、１１．２ｍｍ×８．３ｍｍであり、幅は約０．５０ｍｍ、厚さは約０．５０ｍｍである。このリング部１６１は、枠部１５１の主面１０２にロウ付け固着されている。リング部１６１は、電子部品を収容した後これを封止するために蓋に覆われ接合される。
３つの端子金具部１８１は、このレンズ付き基板１０１をマザーボード等の他の基板に電気的に接続するためのものである。端子金具部１８１は、枠部１５１の底面にそれぞれロウ付け固着され、第２側面１０４ｔ側と第３側面１０４ｕ側と第４側面１０４ｖ側にそれぞれ延びている。
パイプ部１８１は、略筒状である。パイプ部１８１は、電子部品から筒状のレンズ１９１を通じて入出力される光信号の経路である。パイプ部１８１は、枠部１５１の第１側面１０４ｓにロウ付け固着されている。
【００３５】
このようなレンズ付き基板１０１では、基板本体１１１は、搭載面１２５よりも外方へ突出し、レンズ１９１の一方の端部１９１ｔ１のレンズ軸方向の位置決めをする端部位置決め用突出部１３１を有する。そして、レンズ１９１は、その一方の端部１９１ｔ１が端部位置決め用突出部１３１によって位置決めされている。また、基板本体１１１は、搭載面１２５よりも外方へ突出し、レンズ１９１の両側方に位置し、レンズ径方向であって搭載面１２５に平行な方向の位置決めをする第１側面位置決め用突出部１３５及び第２側面位置決め用突出部１３７を有する。そして、レンズ１９１の側面は、第１側面位置決め用突出部１３５と第２側面位置決め用突出部１３７と搭載面１２５によって位置決めされている。さらに、レンズ１９１の側面は、搭載面１２５に固着されている。
【００３６】
このため、レンズ１９１は、その軸方向が端部位置決め用突出部１３１により正確に位置決めされている。また、レンズ径方向であって搭載面１２５に平行な方向が第１側面位置決め用突出部１３５と第２側面位置決め用突出部１３７により正確に位置決めされている。また、レンズ径方向であって搭載面１２５に垂直な方向が搭載面１２５により正確に位置決めされている。このため、筒状のレンズ１９１が高い位置精度で基板本体１１１の搭載面１２５に固着されたレンズ付き基板１０１とすることができる。
【００３７】
さらに、本実施形態では、レンズ付き基板１０１は、端部位置決め用突出部１３１に隣接する領域であって、レンズ１９１が搭載される側の領域を含む領域に、搭載面１２５よりも低くした低位部１４１を備える。
このため、レンズ１９１を基板本体１１１に接合したときに、余分なロウ材がこの低位部１４１に溜まるので、ロウ材が端部位置決め用突出部１３１まで拡がるのを防止しまたは抑制することができる。
【００３８】
さらに、本実施形態では、第１側面位置決め用突出部１３５と第２側面位置決め用突出部１３７は、レンズ１９１を隔てて互いに向かい合って位置している。また、第１側面位置決め用突出部１３５及び第２側面位置決め用突出部１３７のレンズ軸方向の幅は、それぞれレンズ１９１の軸方向の長さよりも短くされている。
このため、レンズ１９１を搭載面１２５に接合したときに、そのロウ材が第１側面位置決め用突出部１３５及び第２側面位置決め用突出部１３７まで拡がり、レンズ１９１と接合しても、第１側面位置決め用突出部１３５及び第２側面位置決め用突出部１３７のレンズ軸方向の幅が小さくされていることにより、レンズ１９１との接合部分が小さくなるので、レンズ１９１に生じる応力を緩和することができる。
【００３９】
このようなレンズ付き基板１０１は、次のようにして製造する。
即ち、まず、公知の手法により、ベース部１２１と枠部１５１とリング部１６１と端子金具部１７１とパイプ部１８１とレンズ１９１をそれぞれ製造する。なお、枠部１５１は、公知の多層セラミック基板の製造方法により製造すればよい。
そして、ベース部１２１と枠部１５１とリング部１６１と端子金具部１７１とパイプ部１８１を固着し、基板本体１１１を製造する。
【００４０】
次に、基板本体１１１の搭載面１２５のうち、レンズ１９１の搭載する部分に、ＡｕＳｎプリフォームを置く。続いて、レンズ１９１を搭載面１２５上に載置する。その際、レンズ１９１の一方の端部１９１ｔ１を端部位置決め用突出部１３１に当接させることにより、レンズ１９１の軸方向の位置決めを正確にする。また、第１側面位置決め用突出部１３５と第２側面位置決め用突出部１３７とによって、レンズ１９１の径方向で搭載面１２５に平行な方向の位置決めが正確にされる。その後、加熱して、レンズ１９１を基板本体１１１の搭載面１２５に固着させる。
以上のようにして、レンズ付き基板１０１が完成する。
【００４１】
（実施形態２）
次いで、第２の実施の形態について説明する。なお、上記実施形態１と同様な部分の説明は、省略または簡略化する。
本実施形態のレンズ付き基板は、ベース部２２１の形状が上記実施形態１のベース部１２１と異なる。一方、その他の部品は、上記実施形態１と同様である。
【００４２】
本実施形態に係るベース部２２１について、図１２〜図１５に示す。図１２はベース主面２２２側から見た平面図を示し、図１３はベース第１側面２２４ｓ側から見た側面図を示す。また、図１４は図１２におけるＡＡ断面図を示し、図１５は図１２におけるＢＢ断面図を示す。
このベース部２２１は、上記実施形態１と同様に、ベース主面２２２とベース裏面２２３と４つのベース側面（ベース第１側面２２４ｓ、ベース第２側面２２４ｔ、ベース第３側面２２４ｕ及びベース第４側面２２４ｖ）を有する。また、ベース主面２２２側には、ベース主面２２２よりも少し低い位置に、レンズ１９１を搭載する搭載面２２５を有する。
【００４３】
ベース部２２１には、上記実施形態１と同様に、搭載面２２５よりも外方へ突出し、筒状のレンズ１９１の一方の端部１９１ｔ１のレンズ軸方向の位置決めをする端部位置決め用突出部２３１が形成されている。
また、ベース部２２１には、搭載面２２５よりも外方へ突出し、筒状のレンズ１９１の両側方に位置し、レンズ径方向であって搭載面２２５に平行な方向の位置決めをする第１側面位置決め用突出部２３５と第２側面位置決め用突出部２３７が形成されている。第１側面位置決め用突出部２３５は、所定の第１間隙（約０．８０ｍｍ）をあけて位置する２つの第１側面用位置決め部２３５ｇを有する。また、第２側面位置決め用突出部２３７も、所定の第１間隙（約０．８０ｍｍ）をあけて位置する２つの第２側面用位置決め部２３７ｇを有する。
【００４４】
第１側面位置決め用突出部２３５と第２側面位置決め用突出部２３７の全体の大きさは、上記実施形態１と同様に、いずれも平面視約１．８０ｍｍ×約０．７４ｍｍであり、搭載面２２５から約１．２０ｍｍ突出している。そして、２つの第１側面用位置決め部２３５ｇと２つの第２側面用位置決め部２３７ｇは、いずれも平面視約０．５ｍｍ×約０．７４ｍｍであり、高さが約０．９５ｍｍである。
また、上記実施形態１と同様に、第１側面位置決め用突出部２３５及び第２側面位置決め用突出部２３７のレンズ軸方向の幅Ｗ（約１．８０ｍｍ）は、レンズ１９１の軸方向の長さＬ（約３．３０ｍｍ）よりも短くされている。また、これら第１側面位置決め用突出部２３５と第２側面位置決め用突出部２３７は、レンズ１９１を隔てて互いに向かい合って位置している。また、第１側面用位置決め部２３５ｇのうちの一方と第２側面用位置決め部２３７ｇのうちの一方とが、レンズ１９１を隔てて互いに向かい合って位置すると共に、第１側面用位置決め部２３５ｇのうちの他方と第２側面用位置決め部２３７ｇのうちの他方も、レンズ１９１を隔てて互いに向かい合って位置している。
【００４５】
搭載面２２５には、上記実施形態１と同様に、筒状のレンズ１９１がロウ付け固着されている。レンズ１９１は、平面とされたもう一方の端部１９１ｔ１が端部位置決め用突出部２３１によってレンズ軸方向について位置決めされている。さらに、本実施形態では、側面が、第１側面位置決め用突出部２３５の２つの第１側面用位置決め部２３５ｇと、第２側面位置決め用突出部２３７の２つの第２側面用位置決め部２３７ｇと、搭載面２２５とによって位置決めされている。
また、本実施形態のベース部２２１も、上記実施形態１と同様な低位部２４１を有し、また、上記実施形態１と同様な周縁低位部２２７を有する。
【００４６】
このようなレンズ付き基板では、第１側面位置決め用突出部２３５は、所定の第１間隙をあけて位置する２つの第１側面用位置決め部２３５ｇを有する。また、第２側面位置決め用突出部２３７も、第１間隙をあけて位置する２つの第２側面用位置決め部２３７ｇを有する。そして、レンズ１９１の側面は、２つの第１側面用位置決め部２３５ｇ及び２つの第２側面用位置決め部２３７ｇによって位置決めされている。
このため、レンズ１９１を搭載面２２５に接合したときに、ロウ材が第１側面位置決め用突出部２３５及び第２側面位置決め用突出部２３７まで拡がり、レンズ１９１と接合しても、レンズ１９１との接合部分が上記実施形態１の場合よりもさらに小さくなるので、レンズ１９１に生じる応力をさらに緩和することができる。
なお、上記実施形態１と同様な部分については、上記実施形態１と同様な効果を奏する。
【００４７】
（実施形態３）
次いで、第３の実施の形態について説明する。なお、上記実施形態１または２と同様な部分の説明は、省略または簡略化する。
本実施形態のレンズ付き基板は、ベース部３２１の形状が上記実施形態１または２のベース部１２１，２２１と異なる。一方、その他の部品は、上記実施形態１及び２と同様である。
【００４８】
本実施形態に係るベース部３２１について、図１６〜図１９に示す。図１６はベース主面３２２側から見た平面図を示し、図１７はベース第１側面３２４ｓ側から見た側面図を示す。また、図１８は図１６におけるＡＡ断面図を示し、図１９は図１６におけるＢＢ断面図を示す。
このベース部３２１は、上記実施形態１，２と同様に、ベース主面３２２とベース裏面３２３と４つのベース側面（ベース第１側面３２４ｓ、ベース第２側面３２４ｔ、ベース第３側面３２４ｕ及びベース第４側面３２４ｖ）を有する。また、ベース主面３２２側には、ベース主面３２２よりも少し低い位置に、レンズ１９１を搭載する搭載面３２５を有する。
【００４９】
本実施形態では、この搭載面３２５のうち、レンズ１９１を搭載する領域に、直径約１．００ｍｍの平面視円形状の凹部３２６が２個所に形成されている。２つの凹部３２６の間隔は、１．３５ｍｍである。また、搭載面３２５の後述する端部位置決め用突出部３３１側の端部から一方の凹部３２６の端部までの長さは、約０．３５ｍｍである。従って、これらの凹部３２６により、頂面が搭載面３２５をなし、レンズ軸方向に沿った長さがレンズ１９１の軸方向の長さＬ（約３．３０ｍｍ）よりも短い長さＨが約１．７ｍｍの搭載面突出部３２７であって、所定の第２間隙（約０．３５ｍｍ）をあけて位置する２つの第３位置決め用突出部３２７ｇからなる搭載面突出部３２７が形成されている。
【００５０】
ベース部３２１には、上記実施形態１，２と同様に、搭載面３２５よりも外方へ突出し、筒状のレンズ１９１の一方の端部１９１ｔ１のレンズ軸方向の位置決めをする端部位置決め用突出部３３１が形成されている。
また、ベース部３２１には、搭載面３２５よりも外方へ突出し、筒状のレンズ１９１の両側方に位置し、レンズ径方向であって搭載面３２５に平行な方向の位置決めをする第１側面位置決め用突出部３３５と第２側面位置決め用突出部３３７が形成されている。第１側面位置決め用突出部３３５は、上記実施形態２と同様に、所定の第１間隙（約０．８０ｍｍ）をあけて位置する２つの第１側面用位置決め部３３５ｇを有する。また、第２側面位置決め用突出部３３７も、所定の第１間隙（約０．８０ｍｍ）をあけて位置する２つの第２側面用位置決め部３３７ｇを有する。
【００５１】
なお、第１側面用位置決め部３３５ｇのうちの一方と、第２側面用位置決め部３３７ｇのうちの一方と、第３側面用位置決め部３２７ｇのうちの一方とは、レンズ１９１の軸方向と直交する同一面に位置するように配置されている。また、第１側面用位置決め部３３５ｇのうちの他方と、第２側面用位置決め部３３７ｇのうちの他方と、第３側面用位置決め部３２７ｇのうちの他方とは、レンズ１９１の軸方向と直交する同一面に位置するように配置されている。
【００５２】
搭載面３２５には、筒状のレンズ１９１がロウ付け固着されている。具体的には、本実施形態では、搭載面３２５のうち、２つの第３位置決め用突出部３２８に固着されている。レンズ１９１は、上記実施形態１，２と同様に、平面とされたもう一方の端部１９１ｔ１が端部位置決め用突出部３３１によってレンズ軸方向について位置決めされている。さらに、本実施形態では、側面が、第１側面位置決め用突出部３３５の２つの第１側面用位置決め部３３５ｇと、第２側面位置決め用突出部３３７の２つの第２側面用位置決め部３３７ｇと、搭載面突出部３２７の２つの第３側面位置決め部３２７ｇとによって位置決めされている。
また、本実施形態のベース部３２５も、上記実施形態１，２と同様な低位部３４１を有し、また、上記実施形態１，２と同様な周縁低位部３２７を有する。
【００５３】
このようなレンズ付き基板では、頂面が搭載面３２５をなし、レンズ軸方向に沿った長さがレンズ１９１の軸方向の長さよりも短い搭載面突出部３２７を備える。この搭載面突出部３２７は、所定の間隙をあけて位置する２つの第３側面用位置決め部３２７ｇを有する。そして、レンズ１９１の側面は、これらの第３側面用位置決め部３２７ｇによって位置決めされてなると共にこれらに固着されている。
このようにレンズ１９１を搭載する搭載面突出部３２７のレンズ軸方向の長さが小さいと、レンズ１９１と搭載面３２５との接合部分が小さくなるので、レンズに生じる応力を緩和することができる。さらに、搭載面突出部３２７は、２つの第３側面用位置決め部３２７ｇに分かれているため、レンズ１９１と搭載面３２５との接合部分をさらに小さくすることができるので、レンズ１９１に生じる応力をさらに緩和することができる。
【００５４】
さらに、本実施形態では、第１側面用位置決め部３３５ｇのうちの一方と、第２側面用位置決め部３３７ｇのうちの一方と、第３側面用位置決め部３２７ｇのうちの一方とは、レンズ１９１の軸方向と直交する同一面に位置するように配置されている。また、第１側面用位置決め部３３５ｇのうちの他方と、第２側面用位置決め部３３７ｇのうちの他方と、第３側面用位置決め部３２７ｇのうちの他方も、レンズ１９１の軸方向と直交する同一面に位置するように配置されている。
このため、レンズ１９１を搭載面３２５に接合したときに、ロウ材が第１側面位置決め用突出部３３５及び第２側面位置決め用突出部３３７まで拡がり、レンズ１９１と接合しても、レンズ１９１に生じる応力をさらに緩和することができる。
【００５５】
また、本実施形態では、レンズ１９１は、この側面のうちレンズ軸方向について互いに離れた第１固着部と第２固着部とで搭載面３２５に固着されている。そして、第１固着部のうち、レンズ軸方向について第２固着部と反対側の第１端と、第２固着部のうち、レンズ軸方向について第１固着部と反対側の第２端とのレンズ軸方向についての距離が、レンズ１９１のレンズ軸方向の長さよりも短くされている。
このように第１端から第２端までの距離が短いと、レンズ１９１と搭載面３２５との接合部分が小さくなるので、レンズ１９１に生じる応力を緩和することができる。さらに、固着部が互いに離れた第１固着部と第２固着部に分かれているため、レンズ１９１と搭載面３２５との接合部分をさらに小さくすることができるので、レンズ１９１に生じる応力をさらに緩和することができる。
なお、上記実施形態１または２と同様な部分については、上記実施形態１または２と同様な効果を奏する。
【００５６】
以上において、本発明を実施形態に即して説明したが、本発明は上記各実施形態１〜３に限定されるものではなく、その要旨を逸脱しない範囲で、適宜変更して適用できることはいうまでもない。
例えば、上記各実施形態１〜３では、レンズ１９１を基板本体１１１の搭載面１２５，２２５，３２５に固着しているが、搭載面１２５等だけでなく、第１側面位置決め用突出部１３５，２３５，３３５及び第２側面位置決め用突出部１３７，２３７，３３７に固着するようにしてもよい。
【００５７】
また、上記各実施形態１〜３では、メタライズ層がＷ等からなるものについて示したが、メタライズ層の材質はこれらに限るものではない。例えば、Ａｇ、Ａｇ−Ｐｄ、Ａｇ−Ｐｔ、あるいは、Ａｕ等としてもよい。
また、上記各実施形態１〜３では、セラミック層はアルミナからなるものについて示したが、セラミック層の材質はこれに限るものではない。例えば、ムライト、窒化アルミニウム、ガラスセラミック、あるいは、低温焼成セラミック（約１０００℃以下の比較的低温で焼成可能なセラミック）等としてもよい。
【図面の簡単な説明】
【図１】実施形態１に係るレンズ付き基板の主面側から見た平面図である。
【図２】実施形態１に係るレンズ付き基板の裏面側から見た底面図である。
【図３】実施形態１に係るレンズ付き基板の第４側面側から見た側面図である。
【図４】実施形態１に係るレンズ付き基板の第１側面側から見た側面図である。
【図５】実施形態１に係るレンズ付き基板の第３側面側から見た側面図である。
【図６】実施形態１に係るレンズ付き基板の図１におけるＡＡ断面図である。
【図７】実施形態１に係るレンズ付き基板の図１におけるＢＢ断面図である。
【図８】実施形態１に係るレンズ付き基板のうち、ベース部のベース主面側から見た平面図である。
【図９】実施形態１に係るレンズ付き基板のうち、ベース部のベース第１側面側から見た平面図である。
【図１０】実施形態１に係るレンズ付き基板のうち、ベース部の図８におけるＡＡ断面図である。
【図１１】実施形態１に係るレンズ付き基板のうち、ベース部の図８におけるＢＢ断面図である。
【図１２】実施形態２に係るレンズ付き基板のうち、ベース部のベース主面側から見た平面図である。
【図１３】実施形態２に係るレンズ付き基板のうち、ベース部のベース第１側面側から見た平面図である。
【図１４】実施形態２に係るレンズ付き基板のうち、ベース部の図１２におけるＡＡ断面図である。
【図１５】実施形態２に係るレンズ付き基板のうち、ベース部の図１２におけるＢＢ断面図である。
【図１６】実施形態３に係るレンズ付き基板のうち、ベース部のベース主面側から見た平面図である。
【図１７】実施形態３に係るレンズ付き基板のうち、ベース部のベース第１側面側から見た平面図である。
【図１８】実施形態３に係るレンズ付き基板のうち、ベース部の図１６におけるＡＡ断面図である。
【図１９】実施形態３に係るレンズ付き基板のうち、ベース部の図１６におけるＢＢ断面図である。
【図２０】従来形態に係るレンズ付き基板の主面側から見た平面図である。
【図２１】従来形態に係るレンズ付き基板の裏面側から見た底面図である。
【図２２】従来形態に係るレンズ付き基板の第４側面側から見た側面図である。
【図２３】従来形態に係るレンズ付き基板の第１側面側から見た側面図である。
【図２４】従来形態に係るレンズ付き基板の第３側面側から見た側面図である。
【図２５】従来形態に係るレンズ付き基板の図２０におけるＡＡ断面図である。
【図２６】従来形態に係るレンズ付き基板の図２０におけるＢＢ断面図である。
【図２７】従来形態に係るレンズ付き基板のうち、ベース部のベース主面側から見た平面図である。
【図２８】従来形態に係るレンズ付き基板のうち、ベース部のベース第１側面側から見た平面図である。
【図２９】従来形態に係るレンズ付き基板のうち、ベース部の図２７におけるＡＡ断面図である。
【図３０】従来形態に係るレンズ付き基板のうち、ベース部の図２７におけるＢＢ断面図である。
【符号の説明】
１０１      レンズ付き基板
１１１      基板本体
１２５，２２５，３２５    搭載面
１３１，２３１，３３１    端部位置決め用突出部
１３５，２３５，３３５    第１側面位置決め用突出部
２３５ｇ，３３５ｇ        第１側面用位置決め部
１３７，２３７，３３７    第２側面位置決め用突出部
２３７ｇ，３３７ｇ        第２側面用位置決め部
１４１，２４１，３４１    低位部
１９１      レンズ
１９１ｔ１  （レンズの一方の）端部
１９１ｔ２  （レンズの他方の）端部
３２７      搭載面突出部
３２７ｇ    第３側面用位置決め部
【図１】
2004184532.tif 000003
【図２】
2004184532.tif 000004
【図３】
2004184532.tif 000005
【図４】
2004184532.tif 000006
【図５】
2004184532.tif 000007
【図６】
2004184532.tif 000008
【図７】
2004184532.tif 000009
【図８】
2004184532.tif 000010
【図９】
2004184532.tif 000011
【図１０】
2004184532.tif 000012
【図１１】
2004184532.tif 000013
【図１２】
2004184532.tif 000014
【図１３】
2004184532.tif 000015
【図１４】
2004184532.tif 000016
【図１５】
2004184532.tif 000017
【図１６】
2004184532.tif 000018
【図１７】
2004184532.tif 000019
【図１８】
2004184532.tif 000020
【図１９】
2004184532.tif 000021
【図２０】
2004184532.tif 000022
【図２１】
2004184532.tif 000023
【図２２】
2004184532.tif 000024
【図２３】
2004184532.tif 000025
【図２４】
2004184532.tif 000026
【図２５】
2004184532.tif 000027
【図２６】
2004184532.tif 000028
【図２７】
2004184532.tif 000029
【図２８】
2004184532.tif 000030
【図２９】
2004184532.tif 000031
【図３０】
2004184532.tif 000032